(57)【要約】【課題】ワイパーに付着したインクを低減させた状態でノズル面をワイパーによってワイピングする。【解決手段】プリンタ１０は、ノズル５１が形成されたノズル面５０ａを有するインクヘッド５０と、上方に向けて延び、ノズル面５０ａをワイピングするワイパー９２と、ワイパー９２を副走査方向Ｘに移動させるワイパー移動機構９５と、副走査方向Ｘにおいてキャリッジ３０より下流側に配置され、ワイパー９２に付着したインクを取り除くワイパークリーナ機構９７と、ワイパー移動機構９５を制御する制御装置８０と、を備えている。ワイパークリーナ機構９７は、下方に向けて延び、ワイパー９２に付着したインクを取り除く第１ワイパークリーナ９８Ａと、第１ワイパークリーナ９８Ａより副走査方向Ｘの上流側に配置され、下方に向けて延び、ワイパー９２に付着したインクを取り除く第２ワイパークリーナ９８Ｂとを有する。【選択図】図４
2020138464.tif 000002
【特許請求の範囲】
【請求項１】
記録媒体にインクを吐出する複数のノズルと、複数の前記ノズルが形成されたノズル面とを有するインクヘッドと、
前記インクヘッドが搭載され、主走査方向に移動可能なキャリッジと、
上方に向けて延び、前記ノズル面をワイピングするワイパーと、
前記ワイパーを前記主走査方向と直交する方向である副走査方向に移動させるワイパー移動機構と、
前記副走査方向において前記キャリッジより上流側または下流側に配置され、前記ワイパーと接触して前記ワイパーに付着したインクを取り除くワイパークリーナ機構と、
前記キャリッジおよび前記ワイパー移動機構を制御する制御装置と、を備え、
前記ワイパークリーナ機構は、
下方に向けて延び、前記ワイパーと接触して前記ワイパーに付着したインクを取り除く第１ワイパークリーナと、
前記第１ワイパークリーナより前記副走査方向の前記上流側または前記下流側に配置され、下方に向けて延び、前記ワイパーと接触して前記ワイパーに付着したインクを取り除く第２ワイパークリーナと、を備え、
前記制御装置は、前記ワイパー移動機構を制御して、前記ワイパーを前記第１ワイパークリーナおよび前記第２ワイパークリーナにこの順番で接触させた後に前記ワイパーによって前記ノズル面をワイピングする、あるいは、前記ワイパーによって前記ノズル面をワイピングした後に前記ワイパーを前記第１ワイパークリーナおよび前記第２ワイパークリーナにこの順番で接触させる、インクジェットプリンタ。
【請求項２】
前記第１ワイパークリーナおよび前記第２ワイパークリーナのいずれか一方は、前記ワイパーよりも硬く形成され、
前記第１ワイパークリーナおよび前記第２ワイパークリーナのいずれか他方は、前記ワイパーよりも柔らかく形成されている、請求項１に記載のインクジェットプリンタ。
【請求項３】
前記第１ワイパークリーナおよび前記第２ワイパークリーナのいずれか一方はインクを吸収しないように構成され、
前記第１ワイパークリーナおよび前記第２ワイパークリーナのいずれか他方はインクを吸収するように構成されている、請求項１または２に記載のインクジェットプリンタ。
【請求項４】
前記第１ワイパークリーナおよび前記第２ワイパークリーナのいずれか一方は、独立発泡構造を有する樹脂材料から形成され、
前記第１ワイパークリーナおよび前記第２ワイパークリーナのいずれか他方は、連続発泡構造を有する樹脂材料から形成されている、請求項１または２に記載のインクジェットプリンタ。
【請求項５】
前記第１ワイパークリーナは、前記ワイパーを洗浄する洗浄液を含む湿式のクリーナであり、
前記第２ワイパークリーナは、前記洗浄液を含まないクリーナである、請求項１に記載のインクジェットプリンタ。
【請求項６】
前記第１ワイパークリーナは、前記ワイパーを洗浄する洗浄液を含む湿式のクリーナであり、
前記第２ワイパークリーナは、前記インクから顔料成分を取り除いた液体を含む湿式のクリーナである、請求項１に記載のインクジェットプリンタ。
【請求項７】
前記第１ワイパークリーナおよび前記第２ワイパークリーナは、前記ワイパーに付着したインクを吸収可能に構成され、
前記第１ワイパークリーナおよび前記第２ワイパークリーナのいずれか一方の前記副走査方向の長さは、前記第１ワイパークリーナおよび前記第２ワイパークリーナのいずれか他方の前記副走査方向の長さよりも長い、請求項１に記載のインクジェットプリンタ。
【請求項８】
前記第１ワイパークリーナおよび前記第２ワイパークリーナのいずれか一方の前記主走査方向の長さは、前記ワイパーの前記主走査方向の長さより短く、
前記第１ワイパークリーナおよび前記第２ワイパークリーナのいずれか他方の前記主走査方向の長さは、前記ワイパーの前記主走査方向の長さより長い、請求項１から７のいずれか一項に記載のインクジェットプリンタ。
【請求項９】
前記インクヘッドは、特色インクを吐出する第１ノズル列と、プロセスカラーインクを吐出する第２ノズル列と、を含み、
前記第１ワイパークリーナの前記主走査方向の長さは、前記ワイパーの前記主走査方向の長さより短く、
前記第２ワイパークリーナの前記主走査方向の長さは、前記ワイパーの前記主走査方向の長さより長く、
前記第１ワイパークリーナは、前記ワイパーのうち前記第１ノズル列が形成された前記ノズル面をワイピングする部分と接触可能に設けられ、
前記第２ワイパークリーナは、前記ワイパーのうち前記第１ノズル列が形成された前記ノズル面をワイピングする部分および前記第２ノズル列が形成された前記ノズル面をワイピングする部分と接触可能に設けられている、請求項１から７のいずれか一項に記載のインクジェットプリンタ。
【請求項１０】
前記第１ワイパークリーナの上下方向の長さと前記第２ワイパークリーナの上下方向の長さとは異なる、請求項１から９のいずれか一項に記載のインクジェットプリンタ。
【請求項１１】
前記第１ワイパークリーナの上下方向の長さは、前記第２ワイパークリーナの上下方向の長さよりも短い、請求項１０に記載のインクジェットプリンタ。
【請求項１２】
前記ワイパーを支持するワイパーホルダを備え、
前記第１ワイパークリーナおよび前記第２ワイパークリーナのいずれか一方の下端は、前記ワイパーの上端と接触可能な位置に配置され、
前記第１ワイパークリーナおよび前記第２ワイパークリーナのいずれか他方の下端は、前記ワイパーホルダの上端から前記ワイパーの上端までの上下方向の中間位置より下方に位置する、請求項１０に記載のインクジェットプリンタ。
【請求項１３】
前記ワイパーは、前記主走査方向に延び、
前記第１ワイパークリーナは、平面視で前記主走査方向の一方の端部から他方の端部に向けて前記ワイパーから離れる方向に傾斜している、請求項１から１２のいずれか一項に記載のインクジェットプリンタ。
【請求項１４】
前記第２ワイパークリーナは、平面視で前記主走査方向の他方の端部から一方の端部に向けて前記ワイパーから離れる方向に傾斜している、請求項１３に記載のインクジェットプリンタ。
【請求項１５】
前記第１ワイパークリーナの下端部および前記第２ワイパークリーナの下端部は、前記主走査方向から見て異なる形状に形成されている、請求項１から１４のいずれか一項に記載のインクジェットプリンタ。
【請求項１６】
前記第１ワイパークリーナおよび前記第２ワイパークリーナのいずれか一方の算術平均粗さは、前記第１ワイパークリーナおよび前記第２ワイパークリーナのいずれか他方の算術平均粗さより大きい、請求項１から１５のいずれか一項に記載のインクジェットプリンタ。
【請求項１７】
前記第１ワイパークリーナおよび前記第２ワイパークリーナは、ポリオレフィン樹脂から形成され、
前記第１ワイパークリーナの繊維方向は上下方向に揃えられ、
前記第２ワイパークリーナの繊維方向は前記主走査方向に揃えられている、請求項１から１６のいずれか一項に記載のインクジェットプリンタ。
【請求項１８】
前記インクは、光硬化性インクであり、
前記キャリッジに搭載され、前記記録媒体に吐出された前記光硬化性インクに向けて光を照射する光照射装置と、
前記副走査方向において前記キャリッジと前記ワイパークリーナ機構との間に配置され、前記光照射装置から照射された光を遮光する遮光板と、を備えている、請求項１から１７いずれか一項に記載のインクジェットプリンタ。
【発明の詳細な説明】
【技術分野】
【０００１】
本発明は、インクジェットプリンタに関する。
【背景技術】
【０００２】
従来から、インクを吐出する複数のノズルと、複数のノズルが形成されたノズル面とを有するインクヘッドを備え、インクジェット方式によって記録媒体上に所定の印刷を行うインクジェットプリンタが知られている。かかるインクジェットプリンタでは、ノズル付近に付着したインクや粉塵を清掃するメンテナンス機構が不可欠である。
【０００３】
メンテナンス機構として、例えば、特許文献１に示すように、ノズルが形成されたノズル面をワイピングするワイパーが知られている。ワイパーがノズル面に接触した状態で、ワイパーとノズル面とが相対移動することにより、ノズル面に付着したインクや粉塵がワイパーによって拭き取られる。これにより、ノズル面においてインクが固化することが防止され、インクの吐出不良を防ぐことができる。ノズル面をワイピングした後には、ワイパーにはインクが付着するため、ワイパーに付着したインクを除去することが重要である。ワイパーに付着したインクを除去する方法として、例えば、ワイパーに洗浄液を付与する方法が提案されている。
【先行技術文献】
【特許文献】
【０００４】
【特許文献１】特開２０１７−６４９２１号公報
【発明の概要】
【発明が解決しようとする課題】
【０００５】
ところで、ワイパーに付着したインクを除去する方法として、例えば、インクの吸収性が比較的高い部材にワイパーを接触させることが考えられる。これにより、ワイパーからインクを除去することができる。ここで、ワイパーによってノズル面をワイピングするときには、ワイパーからインクができるだけ除去されていることが好ましい。
【０００６】
本発明は、かかる点に鑑みてなされたものであり、その目的は、ワイパーに付着したインクを低減させた状態でノズル面をワイパーによってワイピングすることができるインクジェットプリンタを提供することである。
【課題を解決するための手段】
【０００７】
本発明に係るインクジェットプリンタは、記録媒体にインクを吐出する複数のノズルと、複数の前記ノズルが形成されたノズル面とを有するインクヘッドと、前記インクヘッドが搭載され、主走査方向に移動可能なキャリッジと、上方に向けて延び、前記ノズル面をワイピングするワイパーと、前記ワイパーを前記主走査方向と直交する方向である副走査方向に移動させるワイパー移動機構と、前記副走査方向において前記キャリッジより上流側または下流側に配置され、前記ワイパーと接触して前記ワイパーに付着したインクを取り除くワイパークリーナ機構と、前記キャリッジおよび前記ワイパー移動機構を制御する制御装置と、を備えている。前記ワイパークリーナ機構は、下方に向けて延び、前記ワイパーと接触して前記ワイパーに付着したインクを取り除く第１ワイパークリーナと、前記第１ワイパークリーナより前記副走査方向の前記上流側または前記下流側に配置され、下方に向けて延び、前記ワイパーと接触して前記ワイパーに付着したインクを取り除く第２ワイパークリーナと、を備えている。前記制御装置は、前記ワイパー移動機構を制御して、前記ワイパーを前記第１ワイパークリーナおよび前記第２ワイパークリーナにこの順番で接触させた後に前記ワイパーによって前記ノズル面をワイピングする、あるいは、前記ワイパーによって前記ノズル面をワイピングした後に前記ワイパーを前記第１ワイパークリーナおよび前記第２ワイパークリーナにこの順番で接触させる。
【０００８】
本発明のインクジェットプリンタによると、ワイパークリーナ機構は、第１ワイパークリーナと、第２ワイパークリーナとを備えている。ここで、第２ワイパークリーナは、第１ワイパークリーナより副走査方向の上流側または下流側に配置されている。制御装置は、ワイパー移動機構を制御して、ワイパーを第１ワイパークリーナおよび第２ワイパークリーナにこの順番で接触させた後にワイパーによってノズル面をワイピングする。このように、ノズル面をワイピングする前にワイパーを第１ワイパークリーナおよび第２ワイパークリーナに接触させるため、ワイパーによってノズル面をワイピングするときにはワイパーからインクが低減されている。これにより、ワイパーによってノズル面からよりよくインクを取り除くことができる。また、制御装置は、ワイパー移動機構を制御して、ワイパーによってノズル面をワイピングした後にワイパーを第１ワイパークリーナおよび第２ワイパークリーナにこの順番で接触させる。このように、ノズル面をワイピングした後にはワイパーを第１ワイパークリーナおよび第２ワイパークリーナに接触させるため、次にワイパーによってノズル面をワイピングするときにはワイパーからインクが低減されている。これにより、ノズル面からワイパーによってよりよくインクを取り除くことができる。
【発明の効果】
【０００９】
本発明によれば、ワイパーに付着したインクを低減させた状態でノズル面をワイパーによってワイピングすることができる。
【図面の簡単な説明】
【００１０】
【図１】一実施形態に係るプリンタを示す斜視図である。
【図２】一実施形態に係るフロントカバーを開けた状態のプリンタを示す正面図である。
【図３】一実施形態に係るキャリッジの下面の構成を模式的に示す底面図である。
【図４】一実施形態に係るワイピングユニットの構成を模式的に示す平面図である。
【図５】一実施形態に係るワイピングユニットの一部の構成を模式的に示す側面図である。
【図６】一実施形態に係るワイピングユニットの一部の構成を模式的に示す正面図である。
【図７】一実施形態に係るプリンタの制御系のブロック図である。
【図８】他の一実施形態に係るワイピングユニットの構成を模式的に示す平面図である。
【図９】他の一実施形態に係るワイピングユニットの一部の構成を模式的に示す正面図である。
【図１０】他の一実施形態に係るワイパークリーナ機構の構成を模式的に示す側面図である。
【図１１】他の一実施形態に係るワイパークリーナ機構の構成を模式的に示す側面図である。
【図１２】他の一実施形態に係るワイピングユニットの一部の構成を模式的に示す平面図である。
【図１３Ａ】他の一実施形態に係るワイパークリーナ機構の構成を模式的に示す側面図である。
【図１３Ｂ】他の一実施形態に係るワイパークリーナ機構の構成を模式的に示す側面図である。
【図１３Ｃ】他の一実施形態に係るワイパークリーナ機構の構成を模式的に示す側面図である。
【図１３Ｄ】他の一実施形態に係るワイパークリーナ機構の構成を模式的に示す側面図である。
【発明を実施するための形態】
【００１１】
＜第１実施形態＞
以下、図面を参照しながら、本発明の実施の形態について説明する。なお、ここで説明される実施形態は、当然ながら特に本発明を限定することを意図したものではない。また、同じ作用を奏する部材・部位には同じ符号を付し、重複する説明は適宜省略または簡略化する。
【００１２】
図１は、第１実施形態に係るインクジェットプリンタ１０（以下、プリンタ１０と呼ぶ。）を示す斜視図である。プリンタ１０は、記録媒体５（図２参照）に印刷を行う。記録媒体５は、例えば、記録紙である。ただし、記録媒体５は、記録紙に限定されない。記録媒体５は、普通紙やインクジェット用印刷紙等の紙類以外に、ポリ塩化ビニルやポリエステル等の樹脂製のシートやフィルム、織布や不織布等の布帛、その他の媒体であってもよい。
【００１３】
以下の説明では、特に断らない限り、プリンタ１０を正面から見たときに、プリンタ１０から遠ざかる方を前方、プリンタ１０に近づく方を後方とする。左、右、上、下とは、プリンタ１０を正面から見たときの左、右、上、下をそれぞれ意味するものとする。また、図面中の符号Ｆ、Ｒｒ、Ｌ、Ｒ、Ｕ、Ｄは、それぞれ前、後、左、右、上、下を意味するものとする。図面中の符号Ｙは、主走査方向を示している。本実施形態では、主走査方向Ｙは左右方向である。符号Ｘは、副走査方向を示している。本実施形態では、副走査方向Ｘは前後方向である。符号Ｚは、上下方向を示している。主走査方向Ｙと副走査方向Ｘと上下方向Ｚとは、互いに直交している。ただし、上記方向は説明の便宜上定めた方向に過ぎず、プリンタ１０の設置態様を何ら限定するものではなく、本発明を何ら限定するものでもない。
【００１４】
図１に示すように、プリンタ１０は、箱状に形成されている。本実施形態では、プリンタ１０は、ケース１１と、フロントカバー１２とを備えている。図２は、フロントカバー１２を開けた状態のプリンタ１０を示す正面図である。図２に示すように、ケース１１の前部には、開口１３が形成されている。フロントカバー１２は、ケース１１の開口１３を開閉自在に設けられている。ここでは、フロントカバー１２は、後端を軸に回転可能なように、ケース１１に支持されている。フロントカバー１２には、窓部１２ａが設けられている。窓部１２ａは、例えば、透明のアクリル板によって形成されている。ユーザーは、窓部１２ａを通じてケース１１の内部空間を視認することが可能である。
【００１５】
図２に示すように、プリンタ１０は、テーブル２０と、テーブル移動機構２５と、キャリッジ３０と、キャリッジ移動機構４０と、複数のインクヘッド５０と、光照射装置６０と、キャッピングユニット７０と、制御装置８０（図１参照）と、ワイピングユニット９０とを備えている。これらは、ケース１１の内部空間に配置されている。
【００１６】
図２に示すように、テーブル２０には、記録媒体５が載置される。本実施形態に係るプリンタ１０は、いわゆる、フラットベッドタイプのプリンタである。テーブル２０は、ケース１１の内部空間において、主走査方向Ｙのほぼ中央に配置されている。テーブル２０は、平板状の部材である。テーブル２０は、平面を上下方向Ｚに向けて設置されている。図示は省略するが、テーブル２０には、記録媒体５を吸引して固定するための孔が複数設けられている。複数の孔は、テーブル２０を上下方向Ｚに貫通している。テーブル２０の下方には、例えば、図示しないファンが設置されている。ファンは、これら複数の孔から空気を吸引することによって、記録媒体５を吸着する。
【００１７】
図２に示すように、テーブル２０の下方には、テーブル移動機構２５が配置されている。テーブル移動機構２５は、テーブル２０を副走査方向Ｘおよび上下方向Ｚに移動させる部材である。テーブル２０は、テーブル移動機構２５によって下方から支持されている。テーブル移動機構２５は、第１移動機構２５Ｘと、第２移動機構２５Ｚとを備えている。第１移動機構２５Ｘは、第２移動機構２５Ｚを支持しかつ第２移動機構２５Ｚを副走査方向Ｘに移動させる部材である。即ち、第１移動機構２５Ｘは、テーブル２０を副走査方向Ｘに移動させる部材である。ここでは、第１移動機構２５Ｘは、図示しないボールねじ機構を備えている。ボールねじ機構は、Ｘ軸方向モータ２６Ｘ（図７参照）によって駆動される。第２移動機構２５Ｚは、テーブル２０を支持しかつテーブル２０を上下方向Ｚに移動させる部材である。ここでは、第２移動機構２５Ｚは、図示しないボールねじ機構を備えている。ボールねじ機構は、Ｚ軸方向モータ２６Ｚ（図７参照）によって駆動される。第２移動機構２５Ｚは、第１移動機構２５Ｘによって下方から支持されている。ただし、テーブル移動機構２５の構成は限定されない。例えば、第１移動機構２５Ｘおよび第２移動機構２５Ｚを移動させる機構は、ボールねじ機構でなくてもよい。その動力はモータでなくてもよい。第１移動機構２５Ｘと第２移動機構２５Ｚとは、上下の位置関係が逆でもよい。テーブル移動機構２５のＸ軸方向モータ２６ＸおよびＺ軸方向モータ２６Ｚは、制御装置８０と電気的に接続され、制御装置８０によって制御されている。
【００１８】
図２に示すように、キャリッジ３０は、複数のインクヘッド５０と光照射装置６０とを搭載している。キャリッジ３０は、テーブル２０より上方に設けられ、主走査方向Ｙに移動可能に構成されている。キャリッジ３０は、キャリッジ移動機構４０によって移動される。キャリッジ移動機構４０は、キャリッジ３０を主走査方向Ｙに移動させる機構である。キャリッジ移動機構４０は、キャリッジ３０を後述するキャッピングユニット７０やワイピングユニット９０の上方に移動させることができるように構成されている。キャリッジ移動機構４０は、ガイドレール４１と、ベルト４２と、図示しない左右のプーリと、Ｙ軸方向モータ４３（図７参照）とを備えている。
【００１９】
図２に示すように、ガイドレール４１は、主走査方向Ｙに延びている。ガイドレール４１は、テーブル２０より上方に設けられている。ガイドレール４１には、キャリッジ３０が摺動自在に係合している。ガイドレール４１は、キャリッジ３０の主走査方向Ｙの移動を案内する。
【００２０】
キャリッジ３０には無端状のベルト４２が固定されている。ベルト４２は、ガイドレール４１の右側および左側に設けられた図示しないプーリに巻き掛けられている。一方のプーリにはＹ軸方向モータ４３（図７参照）が取り付けられている。Ｙ軸方向モータ４３は、制御装置８０と電気的に接続され、制御装置８０によって制御されている。Ｙ軸方向モータ４３が駆動するとプーリが回転し、ベルト４２が走行する。それにより、キャリッジ３０は、ガイドレール４１に沿って主走査方向Ｙに移動する。即ち、キャリッジ３０の移動は、制御装置８０に制御される。
【００２１】
図２に示すように、複数のインクヘッド５０は、キャリッジ３０に搭載されている。インクヘッド５０は、後述するノズル面５０ａ（図３参照）がキャリッジ３０の下面より下方に位置するように設けられている。図３は、キャリッジ３０の下面の構成を模式的に示す底面図である。図３に示すように、複数のインクヘッド５０は、主走査方向Ｙに並んで配置されている。複数のインクヘッド５０は、いずれも副走査方向Ｘの長さが主走査方向Ｙの長さより長い。インクヘッド５０は、副走査方向Ｘに並ぶ複数のノズル５１と、複数のノズル５１が形成されたノズル面５０ａとを備えている。ノズル５１は、記録媒体５（図２参照）にインクを吐出する微細な穴である。インクヘッド５０において、複数のノズル５１は、副走査方向Ｘに並んでノズル列５２を形成している。なお、ここでは、各インクヘッド５０におけるノズル列５２の数は１列であったが、２列以上でもよい。また、図３では、ノズル列５２を形成するノズル５１の数は１０個に図示されているが、実際にはもっと多数（例えば２００個〜３００個程度）形成されている。ノズル列５２を形成するノズル５１の数は限定されない。
【００２２】
図２に示すように、プリンタ１０は、複数のインクカートリッジ５５を備えている。複数のインクカートリッジ５５は、それぞれ、図示しないインクチューブによってインクヘッド５０に接続されている。インクカートリッジ５５は、インクを貯留する容器である。本実施形態では、インクカートリッジ５５には、光硬化性インクが貯留されている。光硬化性インクは、ここでは、紫外線を照射されると硬化する紫外線硬化型のインクである。光硬化性インクの成分、特性等は特に限定されない。また、貯留されるインクの色も限定されない。複数のインクカートリッジ５５に貯留されるインクは、例えば、ＣＭＹＫのプロセスカラーインクや、クリアインク、グロスインク、プライマーインクおよびホワイトインク等の特色インクである。
【００２３】
図３に示すように、光照射装置６０は、キャリッジ３０に設けられている。光照射装置６０は、光硬化性インクを硬化させる光を照射する装置である。光照射装置６０は、記録媒体５に吐出された光硬化性インクに向けて光を照射する。光照射装置６０は、図示しない光源と、照射口６１とを備えている。光照射装置６０は、照射口６１から下方に向けて光を照射する。照射口６１は、副走査方向Ｘに延びている。光照射装置６０は、ここでは、インクヘッド５０の左方に配置されている。ただし、光照射装置６０は、インクヘッド５０の右方に配置されていてもよい。また、光照射装置６０は、インクヘッド５０の左方および右方のそれぞれに配置されていてもよい。光照射装置６０は、制御装置８０（図２参照）に電気的に接続され、制御装置８０によって制御されている。
【００２４】
図２に示すように、キャッピングユニット７０は、プリンタ１０の右端部付近に設けられている。図２に示すように、キャッピングユニット７０は、複数のキャップ７１と、キャップ移動機構７２と、吸引ポンプ７３とを備えている。
【００２５】
図２に示すように、キャップ７１は、インクヘッド５０のノズル面５０ａに装着可能に構成されている。キャップ７１は、インクヘッド５０と同じ数だけ設けられている。複数のキャップ７１は、主走査方向Ｙに並んでいる。キャップ７１は、上部が開口した有底の箱状の形状を有している。キャップ７１は、それぞれ、例えば、ゴム等によって形成されている。キャップ７１がインクヘッド５０に装着されると、キャップ７１はノズル面５０ａに密着し、ノズル面５０ａはキャップ７１に覆われる。キャップ７１は、インクヘッド５０に装着されることによって、ノズル５１やノズル面５０ａを乾燥から守っている。
【００２６】
図２に示すように、キャップ移動機構７２は、複数のキャップ７１を上下方向Ｚに移動可能に支持している。キャップ移動機構７２は、キャップ７１を上昇させることにより、キャップ７１をインクヘッド５０に装着する。また、キャップ７１を下降させることにより、キャップ７１をインクヘッド５０から取り外す。キャップ移動機構７２は、例えば、ボールねじ機構と、駆動モータ７４（図７参照）とを備えている。駆動モータ７４が駆動すると、ボールねじ機構によって、キャップ７１が上下方向Ｚに移動される。
【００２７】
図２に示すように、吸引ポンプ７３は、複数のキャップ７１に接続されている。吸引ポンプ７３は、キャップ７１に溜まったインクを吸引する。吸引ポンプ７３は、チューブ等を介してキャップ７１の底部に接続されている。キャップ７１がインクヘッド５０に装着された状態で吸引ポンプ７３が駆動されると、インクヘッド５０のノズル５１からインクが吸い出される。吸引ポンプ７３に吸引されたインクは、図示しないチューブ等を介して図示しない廃液タンクに廃棄される。
【００２８】
図２に示すように、ワイピングユニット９０は、キャッピングユニット７０の左方に設けられている。図４に示すように、ワイピングユニット９０は、ワイパー９２と、ワイパーホルダ９３と、ワイパー移動機構９５と、ワイパークリーナ機構９７とを備えている。
【００２９】
ワイパー９２は、インクヘッド５０のノズル面５０ａをワイピングする。ワイパー９２は、主走査方向Ｙに延びる。ワイパー９２は、上方に向けて延びる。ここでは、ワイパー９２は、可撓性を有する材料、例えばゴムから形成されている。図４および図５に示すように、ワイパー９２は、平板状の部材である。ワイパー９２の主走査方向Ｙの長さＷ１は、最も左側に位置するインクヘッド５０の左端（例えばノズル面５０ａの左縁）から最も右側に位置するインクヘッド５０の右端（例えばノズル面５０ａの右縁）までの主走査方向Ｙの長さＮ１より長い。図５に示すように、ワイパー９２の上端９２Ｔは、ノズル面５０ａより上方に位置する。
【００３０】
図４に示すように、ワイパーホルダ９３は、ワイパー９２を保持する。ワイパーホルダ９３は、ワイパー９２が概ね直立するようにワイパー９２を保持する。ワイパーホルダ９３およびワイパー９２は、不使用時（即ちノズル面５０ａをワイピングしないとき）には、ガイドレール４１より前方に位置している。
【００３１】
ワイパー移動機構９５は、ワイパー９２およびワイパーホルダ９３を副走査方向Ｘに移動させる機構である。ワイパー移動機構９５は、ガイドレール９５Ｇと、ベルト９５Ｂと、前側のプーリ９６Ａと、後側のプーリ９６Ｂと、駆動モータ９６Ｍとを備えている。ガイドレール９５Ｇは、副走査方向Ｘに延びている。ガイドレール９５Ｇの前端は、キャリッジ３０より前方に位置する。ガイドレール９５Ｇの後端は、キャリッジ３０より後方に位置する。ワイパーホルダ９３は、ガイドレール９５Ｇに摺動自在に係合している。ワイパーホルダ９３およびワイパー９２は、ガイドレール９５Ｇに沿って副走査方向Ｘに移動可能である。ワイパーホルダ９３は、無端状のベルト９５Ｂに固定されている。ベルト９５Ｂは、前側のプーリ９６Ａおよび後側のプーリ９６Ｂに巻き掛けられている。前側のプーリ９６Ａは、キャリッジ３０より前方に配置されている。後側のプーリ９６Ｂは、キャリッジ３０より後方に配置されている。前側のプーリ９６Ａには駆動モータ９６Ｍが取り付けられている。駆動モータ９６Ｍは、制御装置８０（図２参照）と電気的に接続され、制御装置８０によって制御されている。駆動モータ９６Ｍが駆動すると前側のプーリ９６Ａが回転し、ベルト９５Ｂが走行する。これにより、ワイパー９２がガイドレール９５Ｇに沿って副走査方向Ｘに移動する。即ち、ワイパー９２の移動は、制御装置８０に制御される。
【００３２】
図４に示すように、ワイパークリーナ機構９７は、副走査方向Ｘにおいてキャリッジ３０より下流側（ここでは前方）に配置されている。ワイパークリーナ機構９７は、ワイパー９２と接触してワイパー９２に付着したインクを取り除く機構である。ワイパークリーナ機構９７は、第１ワイパークリーナ９８Ａと、第２ワイパークリーナ９８Ｂと、第１クリーナホルダ９９Ａと、第２クリーナホルダ９９Ｂとを備えている。
【００３３】
第１ワイパークリーナ９８Ａおよび第２ワイパークリーナ９８Ｂは、ワイパー９２と接触してワイパー９２に付着したインクを取り除く。なお、ワイパー９２からインクを取り除くとは、ワイパー９２に接触してインクを吸収して取り除く場合と、ワイパー９２に接触してインクを拭き落とす場合とが含まれる。図４に示すように、第１ワイパークリーナ９８Ａおよび第２ワイパークリーナ９８Ｂは、主走査方向Ｙに延びる。第１ワイパークリーナ９８Ａおよび第２ワイパークリーナ９８Ｂは、副走査方向Ｘにおいてキャリッジ３０より下流側（ここでは前方）に位置する。第１ワイパークリーナ９８Ａおよび第２ワイパークリーナ９８Ｂは、ワイパー９２の移動経路上に位置する。第２ワイパークリーナ９８Ｂは、第１ワイパークリーナ９８Ａより上流側（ここでは後方）に位置する。第１ワイパークリーナ９８Ａおよび第２ワイパークリーナ９８Ｂは、可撓性を有する材料、例えば、樹脂材料や不織布等から形成されている。樹脂材料としては、例えば、ポリエチレンやポリプロピレン等のポリオレフィン樹脂が挙げられる。第１ワイパークリーナ９８Ａは、ワイパー９２よりも硬く形成されている。ここで、「硬く形成」とは、ワイパー９２よりも硬い材料から形成されている場合と、ワイパー９２と同じ材料から形成されているが部材の密度がより高い場合とを含む。第２ワイパークリーナ９８Ｂは、ワイパー９２よりも柔らかく形成されている。ここで、「柔らかく形成」とは、ワイパー９２よりも柔らかい材料から形成されている場合と、ワイパー９２と同じ材料から形成されているが部材の密度が低い場合とを含む。第１ワイパークリーナ９８Ａは、例えば、インクを吸収しないように構成されている。第１ワイパークリーナ９８Ａは、例えば、独立発泡構造を有しかつポリオレフィン樹脂から形成されている。第２ワイパークリーナ９８Ｂは、例えば、インクを吸収するように構成されている。第２ワイパークリーナ９８Ｂは、例えば、連続発泡構造を有しかつポリオレフィン樹脂から形成されている。第１ワイパークリーナ９８Ａおよび第２ワイパークリーナ９８Ｂは、平板状の部材である。
【００３４】
図５に示すように、第１ワイパークリーナ９８Ａおよび第２ワイパークリーナ９８Ｂは、下方に向けて延びる。第１ワイパークリーナ９８Ａの下端９８ＡＢおよび第２ワイパークリーナ９８Ｂの下端９８ＢＢは、ワイパー９２の上端９２Ｔより下方に位置する。ここでは、第１ワイパークリーナ９８Ａの下端９８ＡＢおよび第２ワイパークリーナ９８Ｂの下端９８ＢＢの上下方向Ｚの位置は同じである。図６に示すように、第１ワイパークリーナ９８Ａの主走査方向Ｙの長さＣＡ１および第２ワイパークリーナ９８Ｂの主走査方向Ｙの長さＣＢ１は、ワイパー９２の主走査方向Ｙの長さＷ１より長い。ワイパー９２の上端９２Ｔは、第１ワイパークリーナ９８Ａの上下方向Ｚの中間位置ＣＡＭより上方、かつ、第１ワイパークリーナ９８Ａの上端９８ＡＴから第１ワイパークリーナ９８Ａの副走査方向Ｘの長さＣＡＴ（図５も参照）だけ下方に位置する部分より下方に位置する。ワイパー９２の上端９２Ｔは、第２ワイパークリーナ９８Ｂの上下方向Ｚの中間位置ＣＢＭより上方、かつ、第２ワイパークリーナ９８Ｂの上端９８ＢＴから第２ワイパークリーナ９８Ｂの副走査方向Ｘの長さＣＢＴ（図５も参照）だけ下方に位置する部分より下方に位置する。
【００３５】
図４に示すように、第１クリーナホルダ９９Ａは、第１ワイパークリーナ９８Ａを保持する。第２クリーナホルダ９９Ｂは、第２ワイパークリーナ９８Ｂを保持する。第１クリーナホルダ９９Ａおよび第２クリーナホルダ９９Ｂは、ケース１１に固定されている。第１ワイパークリーナ９８Ａは、第１クリーナホルダ９９Ａに吊り下げられている。第２ワイパークリーナ９８Ｂは、第２クリーナホルダ９９Ｂに吊り下げられている。第１クリーナホルダ９９Ａおよび第２クリーナホルダ９９Ｂは、副走査方向Ｘにおいてキャリッジ３０より下流側（ここでは前方）に位置する。第１クリーナホルダ９９Ａおよび第２クリーナホルダ９９Ｂには、開口９９Ｈ（図２参照）が形成されており、ワイパー９２およびワイパーホルダ９３は、開口９９Ｈを通過可能に構成されている。
【００３６】
図５に示すように、ワイピングユニット９０は、遮光板７８を備えている。遮光板７８は、光照射装置６０から照射された光を遮光する部材である。遮光板７８は、副走査方向Ｘにおいてキャリッジ３０とワイパークリーナ機構９７との間に配置されている。ここでは、遮光板７８は、キャリッジ３０より前方かつワイパークリーナ機構９７より後方に配置されている。図４に示すように、遮光板７８の主走査方向Ｙの長さＢ１は、第１ワイパークリーナ９８Ａの主走査方向Ｙの長さＣＡ１および第２ワイパークリーナ９８Ｂの主走査方向Ｙの長さＣＢ１より長い。図５に示すように、遮光板７８の下端７８Ｂは、第１ワイパークリーナ９８Ａの下端９８ＡＢおよび第２ワイパークリーナ９８Ｂの下端９８ＢＢより下方に位置する。このため、ワイパー９２が副走査方向Ｘに移動すると、遮光板７８と接触する。なお、遮光板７８の下端７８Ｂは、第１ワイパークリーナ９８Ａの下端９８ＡＢおよび第２ワイパークリーナ９８Ｂの下端９８ＢＢより上方に位置していてもよい。例えば、遮光板７８の下端７８Ｂは、ワイパー９２の上端９２Ｔより上方に位置してもよい。図４に示すように、本実施形態では、遮光板７８は、第２ワイパークリーナ９８Ｂとキャリッジ３０との間に位置する本体部７８Ｌと、本体部７８Ｌの左端から前方に向けて延びかつ第１ワイパークリーナ９８Ａおよび第２ワイパークリーナ９８Ｂの側方（ここでは左方）に位置する延伸部７８Ｍとを備えている。延伸部７８Ｍの前端は、第１ワイパークリーナ９８Ａより前方に位置する。
【００３７】
図７に示すように、プリンタ１０の全体の動作は、制御装置８０によって制御されている。制御装置８０の構成は特に限定されない。制御装置８０は、例えばマイクロコンピュータである。マイクロコンピュータのハードウェアの構成は特に限定されないが、例えば、ホストコンピュータなどの外部機器から印刷データなどを受信するインターフェイス（Ｉ／Ｆ）と、制御プログラムの命令を実行する中央演算処理装置（ＣＰＵ：central processing unit）と、ＣＰＵが実行するプログラムを格納したＲＯＭ（read only memory）と、プログラムを展開するワーキングエリアとして使用されるＲＡＭ（random access memory）と、プログラムや各種データを格納するメモリなどの記憶装置と、を備えている。図１に示すように、制御装置８０は、ケース１１の内部に設けられている。ただし、制御装置８０はケース１１の内部に設けられていなくてもよい。例えば、制御装置８０は、プリンタ１０の外部に設置されたコンピュータなどであってもよい。この場合、制御装置８０は、有線または無線を介してプリンタ１０と通信可能に接続されている。
【００３８】
図７に示すように、制御装置８０は、Ｘ軸方向モータ２６Ｘ、Ｚ軸方向モータ２６Ｚ、Ｙ軸方向モータ４３、インクヘッド５０、光照射装置６０、駆動モータ７４、吸引ポンプ７３および駆動モータ９６Ｍと通信可能に接続している。制御装置８０は、これらの動作を制御している。
【００３９】
図７に示すように、制御装置８０は、記憶部８１と、印刷制御部８２と、キャッピング制御部８３と、ワイピング制御部８４とを備えている。制御装置８０の各部の機能は、プログラムによって実現されている。このプログラムは、例えばＣＤやＤＶＤなどの記録媒体から読み込まれる。なお、このプログラムは、インターネットを通じてダウンロードされるものであってもよい。また、制御装置８０の各部の機能は、プロセッサおよび／または回路などによって実現可能なものであってもよい。なお、これら各部の具体的な機能については後述する。
【００４０】
記憶部８１は、記録媒体５に印刷される所定の画像の画像データを記憶する。画像データは、例えば、ラスター形式のデータである。画像データは、例えば、プリンタ１０とは別体に設けられたコンピュータにインストールされたソフトウェアを用いて作成される。
【００４１】
印刷制御部８２は、記憶部８１に記憶された画像データに基づいて、記録媒体５に所定の画像を印刷する。印刷制御部８２は、画像データに基づいて、インクヘッド５０から記録媒体５に向けてインクを吐出させて印刷を行う。印刷制御部８２は、Ｙ軸方向モータ４３を駆動させてキャリッジ３０を主走査方向Ｙに移動させる。印刷制御部８２は、Ｘ軸方向モータ２６Ｘを駆動させてテーブル２０を副走査方向Ｘに移動させる。印刷制御部８２は、光照射装置６０を制御して記録媒体５に吐出された光硬化性インクに向けて光を照射する。
【００４２】
キャッピング制御部８３は、キャッピング動作を制御する。キャッピング制御部８３は、キャリッジ３０がキャッピングユニット７０の上方に位置した状態でキャップ移動機構７２を制御し、キャップ７１を上方に移動させる。これによりインクヘッド５０にキャップ７１が装着される。また、キャッピング制御部８３は、必要に応じて、キャップ７１がインクヘッド５０に装着された状態で吸引ポンプ７３を駆動させ、インクヘッド５０内のインクをノズル５１からキャップ７１に吐出させる。
【００４３】
ワイピング制御部８４は、ワイパー移動機構９５を制御して、ワイパー９２を第１ワイパークリーナ９８Ａおよび第２ワイパークリーナ９８Ｂにこの順番で接触させた後にワイパー９２によってノズル面５０ａをワイピングする。即ち、ワイピング制御部８４は、ワイパー移動機構９５を制御して、ワイパー９２を図５の矢印Ｘ１の方向（副走査方向Ｘの下流側から上流側）に移動させて第１ワイパークリーナ９８Ａおよび第２ワイパークリーナ９８Ｂにこの順番で接触させた後に、ワイパー９２をさらに図５の矢印Ｘ１の方向に移動させてワイパー９２によってノズル面５０ａをワイピングする。ワイピング制御部８４は、ワイパー９２を第１ワイパークリーナ９８Ａおよび第２ワイパークリーナ９８Ｂにこの順番で接触させる動作と、ワイパー９２によってノズル面５０ａをワイピングする動作とを交互に繰り返し行う。
【００４４】
ワイピング制御部８４は、ワイパー移動機構９５を制御して、ワイパー９２が第１ワイパークリーナ９８Ａにおよび第２ワイパークリーナ９８Ｂに接触したときに、ワイパー９２の移動を停止する。そして、所定の時間（例えば１秒〜５秒程度）が経過した後、ワイピング制御部８４は、ワイパー移動機構９５を制御して、ワイパー９２の移動を再開する。ここで、ワイピング制御部８４は、ワイパー９２と第１ワイパークリーナ９８Ａまたは第２ワイパークリーナ９８Ｂとが接触しているときのワイパー９２の第１速度が、ワイパー９２が第１ワイパークリーナ９８Ａ、第２ワイパークリーナ９８Ｂおよびノズル面５０ａと接触していないときのワイパー９２の第２速度より遅くなるように、ワイパー移動機構９５を制御してもよい。
【００４５】
以上のように、本実施形態のプリンタ１０によると、ワイパークリーナ機構９７は、第１ワイパークリーナ９８Ａと、第２ワイパークリーナ９８Ｂとを備えている。ここで、第２ワイパークリーナ９８Ｂは、第１ワイパークリーナ９８Ａより副走査方向Ｘの上流側（ここでは後方）に配置されている。制御装置８０は、ワイパー移動機構９５を制御して、ワイパー９２を第１ワイパークリーナ９８Ａおよび第２ワイパークリーナ９８Ｂにこの順番で接触させた後にワイパー９２によってインクヘッド５０のノズル面５０ａをワイピングする。このように、ノズル面５０ａをワイピングする前にワイパー５２を第１ワイパークリーナ９８Ａおよび第２ワイパークリーナ９８Ｂに接触させるため、ワイパー９２によってノズル面５０ａをワイピングするときにはワイパー９２からインクが低減されている。これにより、ワイパー９２によってノズル面５０ａからよりよくインクを取り除くことができる。また、制御装置８０は、ワイパー移動機構９５を制御して、ワイパー９２によってノズル面５０ａをワイピングした後にワイパー９２を第１ワイパークリーナ９８Ａおよび第２ワイパークリーナ９８Ｂにこの順番で接触させる。このように、ノズル面５０ａをワイピングした後にはワイパー９２を第１ワイパークリーナ９８Ａおよび第２ワイパークリーナ９８Ｂに接触させるため、次にワイパー９２によってノズル面５０ａをワイピングするときにはワイパー９２からインクが低減されている。これにより、ノズル面５０ａからワイパー９２によってよりよくインクを取り除くことができる。
【００４６】
本実施形態のプリンタ１０によると、第１ワイパークリーナ９８Ａは、ワイパー９２よりも硬く形成され、第２ワイパークリーナ９８Ｂは、ワイパー９２よりも柔らかく形成されている。これにより、ワイパー９２が第１ワイパークリーナ９８Ａと接触するときには、ワイパー９２が第１ワイパークリーナ９８Ａに対して弾性変形するため、ワイパー９２に固着したインクを第１ワイパークリーナ９８Ａによってよりよく取り除くことができる。また、ワイパー９２が第２ワイパークリーナ９８Ｂと接触するときには、第２ワイパークリーナ９８Ｂがワイパー９２に対して弾性変形するため、第２ワイパークリーナ９８Ｂはワイパー９２により接触することができ、ワイパー９２に付着したインクを第２ワイパークリーナ９８Ｂによってよりよく取り除くことができる。なお、第１ワイパークリーナ９８Ａは、ワイパー９２よりも柔らかく形成され、第２ワイパークリーナ９８Ｂは、ワイパー９２よりも硬く形成されていてもよい。
【００４７】
本実施形態のプリンタ１０によると、第１ワイパークリーナ９８Ａはインクを吸収しないように構成され、第２ワイパークリーナ９８Ｂはインクを吸収するように構成されている。これにより、第１ワイパークリーナ９８Ａによって、ワイパー９２に固着したインクを取り除いたり、付着したインクをワイパー９２から落としたりすることができる。そして、第２ワイパークリーナ９８Ｂによって、ワイパー９２に付着したインクを吸収してワイパー９２からよりよくインクを取り除くことができる。なお、第１ワイパークリーナ９８Ａはインクを吸収するように構成され、第２ワイパークリーナ９８Ｂはインクを吸収しないように構成されていてもよい。
【００４８】
本実施形態のプリンタ１０によると、第１ワイパークリーナ９８Ａは、独立発泡構造を有する樹脂材料から形成され、第２ワイパークリーナ９８Ｂは、連続発泡構造を有する樹脂材料から形成されている。これにより、第１ワイパークリーナ９８Ａによってワイパー９２に固着したインクをよりよく取り除くことができる。また、第２ワイパークリーナ９８Ｂによってワイパー９２に付着したインクをよりよく吸収することができる。なお、第１ワイパークリーナ９８Ａは、連続発泡構造を有する樹脂材料から形成され、第２ワイパークリーナ９８Ｂは、独立発泡構造を有する樹脂材料から形成されていてもよい。
【００４９】
本実施形態のプリンタ１０は、キャリッジ３０に搭載され、記録媒体５に吐出された光硬化性インクに向けて光を照射する光照射装置６０と、副走査方向Ｘにおいてキャリッジ３０とワイパークリーナ機構９７との間に配置され、光照射装置６０から照射された光を遮光する遮光板７８と、を備えている。光照射装置６０から照射された光がワイパー９２に付着した光硬化性インクに到達すると、光硬化性インクがワイパー９２上で固化してしまう虞がある。固化した光硬化性インクは第１ワイパークリーナ９８Ａおよび第２ワイパークリーナ９８Ｂによって除去するのが困難な場合があり得るので、ワイパー９２のワイピング性能が低下してしまう虞がある。しかしながら、本実施形態のプリンタ１０は、遮光板７８を備えているため、光照射装置６０から照射された光が第１ワイパークリーナ９８Ａおよび第２ワイパークリーナ９８Ｂに到達することを抑制することができる。これにより、第１ワイパークリーナ９８Ａおよび第２ワイパークリーナ９８Ｂにおいてワイパー９２に付着したインクをよりよく取り除くことができる。
【００５０】
＜第２実施形態＞
図８は、第２実施形態に係るワイピングユニット１９０の構成を模式的に示す平面図である。図９は、第２実施形態に係るワイピングユニット１９０の一部の構成を模式的に示す正面図である。図８および図９に示す例では、インクヘッド５０のうち最も左側に位置するインクヘッド５０Ｌのノズル列５２は、特色インク（例えばホワイトインク）を吐出し、残りのインクヘッド５０Ｍ、５０Ｎ、５０Ｐのノズル列５２は、プロセスカラーインクを吐出する。インクヘッド５０Ｌのノズル列５２は、第１ノズル列の一例であり、インクヘッド５０Ｍ、５０Ｎ、５０Ｐのノズル列５２は、第２ノズル列の一例である。第１ワイパークリーナ９８Ａは、正面視で、第２ワイパークリーナ９８Ｂと重なる。
【００５１】
図８および図９に示すように、第１ワイパークリーナ９８Ａの主走査方向Ｙの長さＣＡ１は、ワイパー９２の主走査方向Ｙの長さＷ１より短く、第２ワイパークリーナ９８Ｂの主走査方向Ｙの長さＣＢ１は、ワイパー９２の主走査方向Ｙの長さＷ１より長い。これにより、ワイパー９２の特定の部分（ここではインクヘッド５０Ｌのノズル面５０ａをワイピングする部分）については第１ワイパークリーナ９８Ａおよび第２ワイパークリーナ９８Ｂによってインクを取り除き、ワイパー９２の他の部分（ここではインクヘッド５０Ｍ、５０Ｎ、５０Ｐのノズル面５０ａをワイピングする部分）については第２ワイパークリーナ９８Ｂのみによってインクを取り除くことができる。なお、第１ワイパークリーナ９８Ａの主走査方向Ｙの長さＣＡ１は、ワイパー９２の主走査方向Ｙの長さＷ１より長く、第２ワイパークリーナ９８Ｂの主走査方向Ｙの長さＣＢ１は、ワイパー９２の主走査方向Ｙの長さＷ１より短くてもよい。
【００５２】
また、図８および図９に示すように、第１ワイパークリーナ９８Ａは、ワイパー９２のうち特色インク（例えばホワイトインク）を吐出するインクヘッド５０Ｌのノズル列５２が形成されたノズル面５０ａをワイピングする部分９２Ｘと接触可能に設けられ、第２ワイパークリーナ９８Ｂは、ワイパー９２のうちインクヘッド５０Ｌのノズル列５２が形成されたノズル面５０ａをワイピングする部分９２Ｘおよびプロセスカラーインクを吐出するインクヘッド５０Ｍ、５０Ｎ、５０Ｐのノズル列５２が形成されたノズル面５０ａをワイピングする部分９２Ｙと接触可能に設けられている。特色インクはプロセスカラーインクと比較してワイパー９２において固化しやすいため、ワイパー９２のうち特色インクを吐出するインクヘッド５０Ｌのノズル列５２が形成されたノズル面５０ａをワイピングする部分９２Ｘについては、第１ワイパークリーナ９８Ａおよび第２ワイパークリーナ９８Ｂを接触させることで特色インクをより取り除くことができる。
【００５３】
以上、本発明の好適な実施形態について説明した。しかし、上述の各実施形態は例示に過ぎず、本発明は他の種々の形態で実施することができる。
【００５４】
第１ワイパークリーナ９８Ａは、ワイパー９２を洗浄する洗浄液を含む湿式のクリーナであり、第２ワイパークリーナ９８Ｂは、洗浄液を含まないクリーナ（例えば乾式のクリーナ）であってもよい。第１ワイパークリーナ９８Ａには洗浄液が含まれているため、ワイパー９２をよりきれいにすることができる。また、第２ワイパークリーナ９８Ｂは洗浄液を含まないため、ワイパー９２に付着した洗浄液等を取り除くことができる。これにより、ワイパー９２によってノズル面５０ａをワイピングするときに、ノズル５１内に洗浄液が入り込むことを抑制することができる。ここで、洗浄液とは、ワイパー９２に付着したインクを溶解することができる液体を意味する。また、第１ワイパークリーナ９８Ａおよび第２ワイパークリーナ９８Ｂは、例えば、連続発泡構造を有しかつポリオレフィン樹脂から形成されているとよい。これにより、第１ワイパークリーナ９８Ａはより多くの洗浄液を含むことができ、第２ワイパークリーナ９８Ｂはより多くの洗浄液やインクを取り除くことができる。
【００５５】
第１ワイパークリーナ９８Ａは、ワイパー９２を洗浄する洗浄液を含む湿式のクリーナであり、第２ワイパークリーナ９８Ｂは、インクから顔料成分を取り除いた液体を含む湿式のクリーナであってもよい。第１ワイパークリーナ９８Ａには洗浄液が含まれているため、ワイパー９２をよりきれいにすることができる。また、第２ワイパークリーナ９８Ｂは、インクから顔料成分を取り除いた液体を含むため、ワイパー９２によってノズル面５０ａをワイピングするときに、インクから顔料成分を取り除いた液体がノズル５１内に入り込んでも、その後にノズル５１に入り込んだ該液体を吐出するフラッシングにおいて安定して液体を吐出することができる。これにより、上記フラッシングにおけるミストの発生を抑制することができる。また、第１ワイパークリーナ９８Ａおよび第２ワイパークリーナ９８Ｂは、例えば、連続発泡構造を有しかつポリオレフィン樹脂から形成されているとよい。
【００５６】
図１０に示すように、第１ワイパークリーナ９８Ａおよび第２ワイパークリーナ９８Ｂは、ワイパー９２に付着したインクを吸収可能に構成され、第１ワイパークリーナ９２Ａの副走査方向Ｘの長さＣＡＴは、第２ワイパークリーナ９８Ｂの副走査方向Ｘの長さＣＢＴよりも長くてもよい。これにより、ワイパー９２に先に接触する第１ワイパークリーナ９８Ａにおいてワイパー９２に付着したインクをよりたくさん吸収することができ、ワイパー９２に後に接触する第２ワイパークリーナ９８Ｂにおいてワイパー９２に残っているインクを取り除くことができる。この結果、第１ワイパークリーナ９８Ａおよび第２ワイパークリーナ９８Ｂの交換の頻度をそろえることができる。第１ワイパークリーナ９８Ａおよび第２ワイパークリーナ９８Ｂは、例えば、連続発泡構造を有しかつポリオレフィン樹脂から形成されているとよい。なお、第２ワイパークリーナ９８Ｂの副走査方向Ｘの長さＣＢＴは、第１ワイパークリーナ９２Ａの副走査方向Ｘの長さＣＡＴよりも長くてもよい。
【００５７】
図１１に示すように、第１ワイパークリーナ９８Ａの上下方向Ｚの長さＣＡＺと第２ワイパークリーナ９８Ｂの上下方向Ｚの長さＣＢＺは異なっていてもよい。これにより、ワイパー９２と第１ワイパークリーナ９８Ａの接触位置と、ワイパー９２と第２ワイパークリーナ９８Ｂの接触位置とを異ならすことができ、ワイパー９２からよりよくインクを取り除くことができる。
【００５８】
図１１に示すように、第１ワイパークリーナ９８Ａの上下方向Ｚの長さＣＡＺは、第２ワイパークリーナ９８Ｂの上下方向Ｚの長さＣＢＺよりも短くてもよい。これにより、第１ワイパークリーナ９８Ａによって、ワイパー９２の上端９２Ｔ付近のインクをまず取り除いた後、第２ワイパークリーナ９８Ｂによってワイパー９２の上端９２Ｔを含むより広範囲な部分のインクを取り除くことができる。
【００５９】
図１１に示すように、第１ワイパークリーナ９８Ａの下端９８ＡＢは、ワイパー９２の上端９２Ｔと接触可能な位置に配置されている。例えば、第１ワイパークリーナ９８Ａの下端９８ＡＢの上下方向Ｚの位置は、ワイパー９２の上端９２Ｔの上下方向Ｚの位置と同じである。また、第２ワイパークリーナ９８Ｂの下端９８ＢＢは、ワイパー９２の上下方向Ｚの中間位置ＷＭ（即ちワイパーホルダ９３の上端からワイパー９２の上端９２Ｔまでの上下方向Ｚの中間位置）より下方に位置する。これにより、第１ワイパークリーナ９８Ａによって、ワイパー９２の上面のインクをまず取り除いた後、第２ワイパークリーナ９８Ｂによってワイパー９２の上面を含むより広範囲な部分のインクを取り除くことができる。なお、第２ワイパークリーナ９８Ｂの下端９８ＢＢは、ワイパー９２の上端９２Ｔより下方に位置していればよい。なお、第１ワイパークリーナ９８Ａの下端９８ＡＢは、ワイパー９２の上下方向Ｚの中間位置ＷＭより下方に位置し、かつ、第２ワイパークリーナ９８Ｂの下端９８ＢＢは、ワイパー９２の上端９２Ｔと接触可能な位置に配置されていてもよい。
【００６０】
図１２に示すように、ワイパー９２は、主走査方向Ｙに延び、第１ワイパークリーナ９８Ａは、平面視で主走査方向Ｙの一方の端部（ここでは左端）から他方の端部（ここでは右端）に向けてワイパー９２から離れる方向（ここでは後方）に傾斜していてもよい。これにより、ワイパー９２が第１ワイパークリーナ９８Ａに接触するとき、ワイパー９２は第１ワイパークリーナ９８Ａの一方の端部（ここでは左端）から徐々に接触しかつ徐々に離れることになる。即ち、ワイパー９２と第１ワイパークリーナ９８Ａとの接触抵抗が低減されるため、ワイパー９２が第１ワイパークリーナ９８Ａを通過するときに、ワイパー９２からインクが飛散することが抑制される。
【００６１】
さらに、図１２に示すように、第２ワイパークリーナ９８Ｂは、平面視で主走査方向Ｙの他方の端部（ここでは右端）から一方の端部（ここでは左端）に向けてワイパー９２から離れる方向（ここでは後方）に傾斜していてもよい。これにより、ワイパー９２と第２ワイパークリーナ９８Ｂとの接触抵抗を低減しつつ、ワイパー９２が第１ワイパークリーナ９８Ａを通過した後に、すぐにワイパー９２は第２ワイパークリーナ９８Ｂに接触することができる。なお、図１２に示す例では、第１ワイパークリーナ９８Ａは、左方から右方に向けて後方に傾き、かつ、第２ワイパークリーナ９８Ｂは、右方から左方に向けて後方に傾いているが、第１ワイパークリーナ９８Ａは、右方から左方に向けて後方に傾き、かつ、第２ワイパークリーナ９８Ｂは、左方から右方に向けて後方に傾いていてもよい。
【００６２】
図１３Ａ〜図１３Ｄに示すように、第１ワイパークリーナ９８Ａの下端部９８ＡＬおよび第２ワイパークリーナ９８Ｂの下端部９８ＢＬは、主走査方向Ｙから見て異なる形状に形成されていてもよい。先に接触する第１ワイパークリーナ９８Ａの下端部９８ＡＬの形状と、後に接触する第２ワイパークリーナ９８Ｂの下端部９８ＢＬの形状をそれぞれ異ならせることにより、ワイパー９２に付着したインクをよりよく取り除くことができる。ここでは、ワイパー９２は、上下方向に延びる本体部９２Ｍと、本体部９２Ｍの上端に位置しワイパークリーナ機構９７に向けて下方に傾斜する傾斜部９２Ｌと、傾斜部９２Ｌと本体部９２Ｍとの間に形成された凹部９２Ｎとを有する。図１３Ａでは、第１ワイパークリーナ９８Ａの下端部９８ＡＬは、主走査方向Ｙから見て三角形状に形成され、第２ワイパークリーナ９８Ｂの下端部９８ＢＬは、主走査方向Ｙから見て半円形状に形成されている。また、図１３Ｂでは、第１ワイパークリーナ９８Ａの下端部９８ＡＬおよび第２ワイパークリーナ９８Ｂの下端部９８ＢＬは、主走査方向Ｙから見て三角形状に形成されており、第１ワイパークリーナ９８Ａのほうがより鋭角である。また、図１３Ｃでは、第１ワイパークリーナ９８Ａの下端部９８ＡＬは、主走査方向Ｙから見て四角形状に形成され、第２ワイパークリーナ９８Ｂの下端部９８ＢＬは、主走査方向Ｙから見て半円形状に形成されている。さらに、図１３Ｄでは、第１ワイパークリーナ９８Ａの下端部９８ＡＬは、主走査方向Ｙから見て四角形状に形成され、第２ワイパークリーナ９８Ｂの下端部９８ＢＬは、主走査方向Ｙから見て三角形状に形成されている。例えば、図１３Ａに示す例では、第１ワイパークリーナ９８Ａの下端部９８ＡＬは三角形状に形成されているため、ワイパー９２の凹部９２Ｎに付着したインクをより取り除くことができる。また、第２ワイパークリーナ９８Ｂの下端部９８ＢＬは半円形状に形成されているため、ワイパー９２の傾斜部９２Ｌによりよく接触することができ、傾斜部９２Ｌに付着したインクをより取り除くことができる。
【００６３】
第１ワイパークリーナ９８Ａの算術平均粗さは、第２ワイパークリーナ９８Ｂの算術平均粗さより大きくてもよい。第１ワイパークリーナ９８Ａの算術平均粗さは、例えば、第２ワイパークリーナ９８Ｂの算術平均粗さの１．５倍〜３倍程度（例えば２倍）である。これにより、第１ワイパークリーナ９８Ａの凹凸形状によってワイパー９２に固着したインクや増粘したインクをよりよく取り除くことができる。第１ワイパークリーナ９８Ａの算術平均粗さは、第２ワイパークリーナ９８Ｂの算術平均粗さより小さくてもよい。このとき、第２ワイパークリーナ９８Ｂの算術平均粗さは、例えば、第１ワイパークリーナ９８Ａの算術平均粗さの１．５倍〜３倍程度（例えば２倍）である。
【００６４】
第１ワイパークリーナ９８Ａおよび第２ワイパークリーナ９８Ｂが樹脂材料や不織布等の繊維質の材料から形成されているとき、第１ワイパークリーナ９８Ａの繊維方向は上下方向Ｚに揃えられ、第２ワイパークリーナ９８Ｂの繊維方向は主走査方向Ｙに揃えられていてもよい。ここで、第１ワイパークリーナ９８Ａは、ワイパー９２によってノズル面５０ａをワイピングした後にワイパー９２に残った多くのインクを吸い取る必要があるため、第１ワイパークリーナ９８Ａの体積を大きくする必要がある。これにより、第１ワイパークリーナ９８Ａの交換頻度を低減することができる。しかし、第１ワイパークリーナ９８Ａの体積が大きくても、ワイパー９２と接触するのは第１ワイパークリーナ９８Ａの一部であるため、第１ワイパークリーナ９８Ａのインク吸収力が高くなければ、すぐに飽和してしまう。そこで、第１ワイパークリーナ９８Ａの繊維方向を上下方向Ｚに揃えることによって、第１ワイパークリーナ９８Ａのうちワイパー９２と接触する部分から上方向にインクを吸い上げることができる。また、第２ワイパークリーナ９８Ｂがワイパー９２と接触するときには、ワイパー９２に付着したインクの多くが第１ワイパークリーナ９８Ａに取り除かれているため、第２ワイパークリーナ９８Ｂではワイパー９２に付着したインクを吸収することよりも、ワイパー９２に固着したインクを掻き取る性能が望まれる。そこで、第２ワイパークリーナ９８Ｂの繊維方向を主走査方向Ｙに揃えることにより、第２ワイパークリーナ９８Ｂの凹凸形状によってワイパー９２に固着したインクを掻き取ることができる。例えば、一軸延伸によって上述のような繊維方向の第１ワイパークリーナ９８Ａおよび第２ワイパークリーナ９８Ｂを形成することができる。
【００６５】
上述した各実施形態では、インクヘッド５０のノズル５１から吐出されるインクは光硬化性インクであったが、水性インクや溶剤インクであってもよい。
【００６６】
上述した各実施形態では、ワイパー９２の主走査方向Ｙの長さＷ１は、最も左側に位置するインクヘッド５０の左端から最も右側に位置するインクヘッド５０の右端までの主走査方向Ｙの長さＮ１より長いが、これに限定されない。例えば、ワイパー９２の主走査方向Ｙの長さＷ１は、１つのインクヘッド５０のノズル面５０ａの主走査方向Ｙの長さより長ければよい。即ち、ワイパー９２が副走査方向Ｘに移動するときに、少なくとも１つのインクヘッド５０のノズル面５０ａをワイパー９２によってワイピングできればよい。
【００６７】
上述した各実施形態では、ワイパークリーナ機構９７は、副走査方向Ｘにおいてキャリッジ３０より下流側（ここでは前方）に配置されていたが、これに限定されない。例えば、ワイパークリーナ機構９７は、副走査方向Ｘにおいてキャリッジ３０より上流側（ここでは後方）に配置されていてもよい。また、ワイパーホルダ９３およびワイパー９２は、不使用時（即ちノズル面５０ａをワイピングしないとき）には、ガイドレール４１より後方に位置していてもよい。
【００６８】
上述した各実施形態では、第１ワイパークリーナ９８Ａを保持する第１クリーナホルダ９９Ａと、第２ワイパークリーナ９８Ｂを保持する第２クリーナホルダ９９Ｂとが設けられていたが、第１ワイパークリーナ９８Ａおよび第２ワイパークリーナ９８Ｂを保持する一つのクリーナホルダが設けられていてもよい。
【００６９】
ワイピング制御部８４は、ワイパー移動機構９５を制御して、ワイパー９２によってノズル面５０ａをワイピングした後にワイパー９２を第１ワイパークリーナ９８Ａおよび第２ワイパークリーナ９８Ｂにこの順番で接触させてもよい。即ち、ワイピング制御部８４は、例えばワイパー９２がキャリッジ３０より後方に位置する状態からワイパー移動機構９５を制御して、ワイパー９２を図５の矢印Ｘ２の方向（副走査方向Ｘの上流側から下流側）に移動させてワイパー９２によってノズル面５０ａをワイピングした後に、ワイパー９２をさらに図５の矢印Ｘ２の方向に移動させてワイパー９２を第１ワイパークリーナ９８Ａおよび第２ワイパークリーナ９８Ｂにこの順番で接触させてもよい。なお、このとき、第２ワイパークリーナ９８Ｂは、第１ワイパークリーナ９８Ａよりも前方に位置する。
【符号の説明】
【００７０】
１０  プリンタ（インクジェットプリンタ）
３０  キャリッジ
５０  インクヘッド
５０ａ  ノズル面
５１  ノズル
８０  制御装置
９０  ワイピングユニット
９２  ワイパー
９５  ワイパー移動機構
９７  ワイパークリーナ機構
９８Ａ  第１ワイパークリーナ
９８Ｂ  第２ワイパークリーナ
【図１】
2020138464.tif 000003
【図２】
2020138464.tif 000004
【図３】
2020138464.tif 000005
【図４】
2020138464.tif 000006
【図５】
2020138464.tif 000007
【図６】
2020138464.tif 000008
【図７】
2020138464.tif 000009
【図８】
2020138464.tif 000010
【図９】
2020138464.tif 000011
【図１０】
2020138464.tif 000012
【図１１】
2020138464.tif 000013
【図１２】
2020138464.tif 000014
【図１３Ａ】
2020138464.tif 000015
【図１３Ｂ】
2020138464.tif 000016
【図１３Ｃ】
2020138464.tif 000017
【図１３Ｄ】
2020138464.tif 000018